(57)【要約】【課題】操作部が大型化しても操作部の操作時に生じる撓みを抑制することができる画像形成装置を提供する。【解決手段】画像形成装置１は、排出されるシートＳを支持する排出トレイ６が上面に設けられ、シートＳに画像を形成する画像形成部を収容する下筐体２と、下筐体２の上方に設けられ原稿の画像を読み取る画像読取部と画像読取部を下筐体２に対して支持し排出トレイ６に排出されたシートＳを取り出すための開口部３５を形成する脚部３２、３３とを有する上筐体３と、上筐体３に支持される第１支持部４１を有し、画像形成装置１の操作を行うための操作部４と、操作部４を支持する支持位置と操作部４に対して退避する退避位置との間で変位可能な第２支持部７１と、を備える。【選択図】図３
2019159026.tif 000002
【特許請求の範囲】
【請求項１】
画像形成装置であって、
装置本体と、
前記装置本体に支持される第１支持部を有し、前記画像形成装置の操作を行うための操作部と、
前記操作部を支持する支持位置と、前記操作部に対して退避する退避位置との間で変位可能な第２支持部と、を備えた画像形成装置。
【請求項２】
前記第２支持部は、前記第２支持部の一端部を通る回動軸線を中心として前記支持位置と前記退避位置との間で回動可能に前記操作部又は前記装置本体に支持されていることを特徴とする請求項１に記載の画像形成装置。
【請求項３】
前記装置本体は、
排出されるシートを支持する排出トレイが上面に設けられ、シートに画像を形成する画像形成部を収容する下筐体と、
前記下筐体の上方に設けられ原稿の画像を読み取る画像読取部と、前記画像読取部を前記下筐体に対して支持し前記排出トレイに排出されたシートを取り出すための開口部を形成する脚部とを有する上筐体と、を備え、
前記操作部は、前記上筐体に設けられることを特徴とする請求項１又は請求項２に記載の画像形成装置。
【請求項４】
前記第２支持部は、前記操作部に設けられ、前記支持位置にあるときに前記下筐体と当接し、前記退避位置にあるときに前記下筐体から離間することを特徴とする請求項３に記載の画像形成装置。
【請求項５】
前記第２支持部は、前記下筐体に設けられ、前記支持位置にあるときに前記操作部と当接し、前記退避位置にあるときに前記操作部から離間することを特徴とする請求項３に記載の画像形成装置。
【請求項６】
前記第１支持部は、前記操作部の一端側に設けられ、
前記第２支持部は、前記支持位置において前記操作部の他端側を支持することを特徴とする請求項３から請求項５の何れか一項に記載の画像形成装置。
【請求項７】
前記第２支持部は、前記支持位置にあるときに前記排出トレイと重ならない位置に配置されることを特徴とする請求項３から請求項６の何れか一項に記載の画像形成装置。
【請求項８】
前記第２支持部は、前記支持位置にあるときに前記シートの排出方向と直交する方向において前記排出トレイに対してシフトした位置に配置されることを特徴とする請求項７に記載の画像形成装置。
【請求項９】
前記第１支持部は、前記装置本体に変位可能に支持され、
前記装置本体は、前記第２支持部を複数の支持位置に位置決めする位置決め部を備えることを特徴とする請求項１から請求項８の何れか一項に記載の画像形成装置。
【請求項１０】
前記第２支持部は、前記装置本体と上下方向に重なる位置に配置されることを特徴とする請求項１から請求項９の何れか一項に記載の画像形成装置。
【請求項１１】
前記第２支持部を変位させる駆動力を供給するモータを備えることを特徴とする請求項１から請求項１０の何れか一項に記載の画像形成装置。
【請求項１２】
画像形成の開始指示に基づいて前記第２支持部が前記支持位置から退避位置に変位するように前記モータを制御する制御部を備えることを特徴とする請求項１１に記載の画像形成装置。
【発明の詳細な説明】
【技術分野】
【０００１】
本発明は、画像形成装置に関する。
【背景技術】
【０００２】
従来から画像形成装置の上面にシートを排出する排出トレイを設け、排出トレイの上方にシートの排出空間を介して画像読取装置が配置された、いわゆる胴内排出型の画像形成装置が知られている。このような画像形成装置においては、一般的に画像読取装置の前部にタッチパネル等を備えた操作部が設けられている。そして近年、操作部は多機能化や操作性の向上を図るために大型化している（特許文献１参照）。
【先行技術文献】
【特許文献】
【０００３】
【特許文献１】特開２０１７−２２８９２４号公報
【発明の概要】
【発明が解決しようとする課題】
【０００４】
操作部は画像読取装置の前部に突出して設けられていることが多く、いわゆる片持ち支持の状態となりやすい。特に大型化された操作部は、支持箇所からの距離が離れた場所にユーザがタッチすることとなり撓みやすくなっている。そのため、ユーザは、操作部の操作時に生じる撓みが気になることがあった。
【０００５】
本発明は、操作部が大型化しても操作部の操作時に生じる撓みを抑制することができる画像形成装置を提供することを目的とする。
【課題を解決するための手段】
【０００６】
本発明の画像形成装置（１）は、装置本体と、装置本体に支持される第１支持部（４１）を有し、画像形成装置（１）の操作を行うための操作部（４）と、操作部（４）を支持する支持位置と、操作部（４）に対して退避する退避位置との間で変位可能な第２支持部（７１）と、を備える。
【０００７】
上記の構成によれば、第２支持部（７１）が支持位置にあるとき、操作部（４）は第１支持部（４１）と第２支持部（７１）とで支持される。
【発明の効果】
【０００８】
本発明によれば、第２支持部が支持位置にあるとき、操作部は第１支持部と第２支持部とで支持されるため、第１支持部のみで支持される場合よりも操作部の操作時に生じる撓みを抑制することができる。したがって、ユーザは、操作部の操作時に生じる撓みが気になる場合に、第２支持部を退避位置から支持位置に移動させて使用することにより、撓みを気にすることなく操作することができる。
【図面の簡単な説明】
【０００９】
【図１】一実施形態の画像形成装置の斜視図ある。
【図２】一実施形態の画像形成装置の正面図ある。
【図３】図２のＡ−Ａ断面図である。
【図４】変形例１の画像形成装置の部分断面図である。
【図５】変形例２の画像形成装置の正面図である。
【図６】変形例３の画像形成装置の部分断面図である。
【図７】変形例３の画像形成装置の部分断面図である。
【図８】変形例３の画像形成装置の部分断面図である。
【図９】変形例４の画像形成装置の部分断面図である。
【図１０】変形例４の画像形成装置の部分断面図である。
【発明を実施するための形態】
【００１０】
以下の説明では、図１に示すように画像形成装置１が使用可能に設置された状態を基準とし、シートカセット２１が引き出される側を前、その反対側を後とし、画像形成装置１を前側から見て左右方向を規定し、さらに画像形成装置１の上筐体３側を上、下筐体２側を下とし、各方向を定める。
【００１１】
［画像形成装置の全体構成］
図１は本発明の一実施形態の画像形成装置の斜視図であり、図２はその正面図、図３は図２のＡ−Ａ断面図である。図２及び図３には排出トレイ６に排出されたシートＳを示している。画像形成装置１は、いわゆる胴内排出型と呼ばれる形態を有する。画像形成装置１は、下筐体２と、上筐体３と、操作部４とを備えている。下筐体２及び上筐体３は装置本体の一例である。
【００１２】
下筐体２は略直方体形状の筐体である。下筐体２には、シートＳを収容するシートカセット２１と、シートカセット２１からシートを搬送する搬送機構と、搬送機構によって搬送されてきたシートＳに画像を形成する画像形成部と、画像形成部から下筐体２外へシートＳを搬送する排出機構とが収容されている（図示せず）。画像形成部の構成には特に限定はなく、電子写真方式、インクジェット方式、サーマルヘッド方式などの構成を用いることができる。
【００１３】
また、下筐体２の上面には排出機構によって排出されるシートＳを支持する排出トレイ６が設けられている。排出トレイ６は下筐体２の上面に後側から前側に向かって凸状に湾曲しつつ登るように傾斜した形状に形成されている。これにより、画像が形成されたシートＳは、排出機構によって後側から前側に向かって排出トレイ６に排出される。つまり、排出トレイ６のシート排出方向は前方向である。
【００１４】
排出トレイ６は、下筐体２の上面において右側かつ後側に寄せて配置されている。そのため、下筐体２の上面には、排出トレイ６を前方及び左方に延長した延長面６２が存在し、延長面６２にシートＳは排出されない。
【００１５】
上筐体３は、本体３１と、左脚部３２と、右脚部３３とを備えている。本体３１には、原稿台に載置された原稿を読み取る画像読取部（図示せず）と、ＡＤＦ（ａｕｔｏ  ｄｏｃｕｍｅｎｔ  ｆｅｅｄｅｒ）３４とが収容されている。左脚部３２及び右脚部３３はそれぞれ本体３１の下面の左端部及び右端部に配置され、下筐体２の上面の左端部及び右端部に設置される。これにより、上筐体３は排出トレイ６の上方にシートＳが排出される排出空間６１を介して設置される。上筐体３は排出空間６１の前方に排出トレイ６に排出されたシートＳを取り出すための開口部３５を有している。
【００１６】
操作部４は略直方体形状のパネルであり、上面４Ａ、下面４Ｂ、前面４Ｃ、後面４Ｄ、左側面４Ｅ及び右側面４Ｆを有している。上面４Ａには、タッチパネル４６や操作ボタン４７等のユーザによって押下される操作具が配置されている。また、操作部４は上筐体３の画像読取部の前端部に支持される第１支持部４１を有する。具体的には、第１支持部４１は上面４Ａの後端部近傍に位置し、ネジ等によって上筐体３に固定されている。
【００１７】
［第２支持部］
また、画像形成装置１は操作部４を支持する第２支持部７１を備えている。第２支持部７１は、操作部４の下面４Ｂの前端部における左寄りに設けられている。第２支持部７１は、略矩形の板状部材であり、操作部４に回動可能に支持されている。具体的には、第２支持部７１の左側面及び右側面の一端部に、左右方向に延びる軸部７１１がそれぞれ形成されている。一方、操作部４の下面４Ｂには軸部７１１を回動可能に支持する２つの凸部４２が形成されている。
【００１８】
軸部７１１は凸部４２の左右側面にそれぞれ形成された孔部（図示せず）に挿入されている。これにより、第２支持部７１は、軸部７１１を通り左右に延びる回動軸線を中心として、鉛直方向に沿い操作部４の下面４Ｂと直角に位置する支持位置（図３の実線で示す位置）と、水平方向に沿い操作部４の下面４Ｂと平行に位置する退避位置（図３の二点鎖線で示す位置）との間で回動可能である。このように、第２支持部７１を回動軸線を中心として回動可能な構成とすることにより、第２支持部７１を簡単な構成で変位させることができる。
【００１９】
第２支持部７１は、支持位置において先端部７１Ａが排出トレイ６の左前方の延長面６２に当接する大きさに形成されている。よって、第２支持部７１は支持位置において延長面６２に当接することで固定される。これにより、支持位置にある第２支持部７１は、操作部４の前端部を下方から支持する。その結果、操作部４は第１支持部４１及び第２支持部７１によって支持される。したがって、ユーザに押下されたとしても操作部４は第１支持部４１のみで支持されているときよりも撓みにくくなる。
【００２０】
さらに、第１支持部４１及び第２支持部７１によって操作部４の互いに離れた位置である後端部及び前端部を支持しているため、ユーザに押下されたときの操作部４の撓みを効率的に抑制することができる。このように第２支持部７１を設けることにより、ユーザは、操作部４の操作時に生じる撓みが気になる場合に、第２支持部７１を退避位置から支持位置に移動させて使用することにより、撓みを気にすることなく操作することができる。また、排出トレイ６からシートＳを取り出す際には、第２支持部７１を退避位置に移動させることにより、開口部３５の面積が大きくなりシートＳを取り出しやすい。
【００２１】
上述したように、第２支持部７１は支持位置において延長面６２に当接する位置に配置されている。これは、支持位置にある第２支持部７１は排出トレイ６と上下方向に重ならない位置に配置されていることを意味する。このように、支持位置にある第２支持部７１を排出トレイ６に排出されたシートＳと接触しない位置に配置することにより、第２支持部７１が排出されるシートＳを邪魔することがない。
【００２２】
また上述したように、第２支持部７１は支持位置において左前方の延長面６２に当接する位置に配置されている。これは、支持位置にある第２支持部７１はシートＳの排出方向である前後方向と直交する左右方向において排出トレイ６に対してシフトした位置に配置されていることを意味する。このように、支持位置にある第２支持部７１を排出トレイ６に排出されたシートＳと前後方向に重ならない位置に配置することにより、開口部３５からシートＳを取り出す際に、第２支持部７１が邪魔にならない。
【００２３】
また上述したように、第２支持部７１は操作部４の下面４Ｂと下筐体２との間に設けられている。これは、第２支持部７１が画像形成装置１の他の構成と上下方向に重なる位置に配置されることを意味する。このように、第２支持部７１は画像形成装置１から前後左右に突出しないため、画像形成装置１を小さな面積の設置場所に設置することができる。
【００２４】
［変形例１］
図４は、変形例１の画像形成装置１１の部分断面図である。断面位置は図２のＡ−Ａと同じ位置である。変形例１の画像形成装置１１が上記実施形態の画像形成装置１と異なる点は第２支持部７２の配置である。変形例１の画像形成装置１１の他の構成は上記実施形態の画像形成装置１と同様であるため、同符号を付してその詳細な説明を省略する。
【００２５】
第２支持部７２は、上記の実施形態と同じ位置に上下逆に設けられている。つまり、第２支持部７２は、下筐体２における排出トレイ６の左前方の延長面６２に設けられている。第２支持部７２は、略矩形の板状部材であり、下筐体２に回動可能に支持されている。具体的には、第２支持部７２の左側面及び右側面の一端部に、左右方向に延びる軸部７２１がそれぞれ形成されている。一方、下筐体２の延長面６２には軸部７２１を回動可能に支持する２つの凸部４３が形成されている。
【００２６】
軸部７２１は凸部４３の左右側面にそれぞれ形成された孔部（図示せず）に挿入されている。これにより、第２支持部７２は、軸部７２１を通り左右に延びる回動軸線を中心として、鉛直方向に沿い操作部４の下面４Ｂと直角に位置する支持位置（図４の実線で示す位置）と、水平方向に沿い下筐体２の延長面６２と平行に位置する退避位置（図４の二点鎖線で示す位置）との間で回動可能である。このように、第２支持部７２を回動軸線を中心として回動可能な構成とすることにより、第２支持部７２を簡単な構成で変位させることができる。
【００２７】
第２支持部７２は、支持位置において先端部７２Ａが操作部４の下面４Ｂに当接する大きさに形成されている。よって、第２支持部７２は支持位置において操作部４の下面４Ｂの前端部における左寄りの位置に当接することで固定される。これにより、支持位置にある第２支持部７２は、操作部４の前端部を下方から支持する。その結果、操作部４は第１支持部４１及び第２支持部７２によって支持される。したがって、ユーザに押下されたとしても操作部４は第１支持部４１のみで支持されているときよりも撓みにくくなる。
【００２８】
変形例１の第２支持部７２は、上記の実施形態の第２支持部７１と上下逆に配置されているため、上記の実施形態と同様の効果を得ることができる。
【００２９】
［変形例２］
図５は、変形例２の画像形成装置１２の正面図である。変形例２の画像形成装置１２が上記実施形態の画像形成装置１と異なる点は第２支持部７３の配置である。変形例２の画像形成装置１２の他の構成は上記実施形態の画像形成装置１と同様であるため、同符号を付してその詳細な説明を省略する。
【００３０】
第２支持部７３は、上記の実施形態の第２支持部７１を水平方向に９０°回転させた位置に設けられている。つまり、第２支持部７３は、操作部４の下面４Ｂの前端部中央から後方へ延びる位置に設けられている。第２支持部７３の前面及び後面の一端部に、前後方向に延びる軸部７３１がそれぞれ形成されている。一方、操作部４の下面４Ｂには軸部７３１を回動可能に支持する２つの凸部４４が形成されている。
【００３１】
軸部７３１は凸部４４の前後面にそれぞれ形成された孔部（図示せず）に挿入されている。これにより、第２支持部７３は、軸部７３１を通り前後に延びる回動軸線を中心として、鉛直方向に沿い操作部４の下面４Ｂと直角に位置する支持位置（図５の実線で示す位置）と、水平方向に沿い操作部４の下面４Ｂと平行に位置する退避位置（図５の二点鎖線で示す位置）との間で回動可能である。このように、第２支持部７３を回動軸線を中心として回動可能な構成とすることにより、第２支持部７３を簡単な構成で変位させることができる。
【００３２】
第２支持部７３は、支持位置において先端部７３Ａが排出トレイ６の左前方の延長面６２に当接する大きさに形成されている。よって、第２支持部７３は支持位置において延長面６２に当接することで固定される。これにより、支持位置にある第２支持部７３は、操作部４の左右中央部を下方から支持する。その結果、操作部４は第１支持部４１及び第２支持部７３によって支持される。したがって、ユーザに押下されたとしても操作部４は第１支持部４１のみで支持されているときよりも撓みにくくなる。
【００３３】
変形例２の第２支持部７３は、上記の実施形態の第２支持部７１を水平方向に９０°回転させた位置に配置されているため、上記の実施形態と同様の効果を得ることができる。
【００３４】
［変形例３］
図６から図８は、変形例３の画像形成装置１３の部分断面図である。断面位置は操作部４及び第２支持部７１を通る位置である。変形例３の画像形成装置１３が上記実施形態の画像形成装置１と異なる点は、操作部４の第１支持部４５が回動可能であり、下筐体２に複数の位置決め部が形成される点である。変形例３の画像形成装置１３の他の構成は上記実施形態の画像形成装置１と同様であるため、同符号を付してその詳細な説明を省略する。
【００３５】
図６に示すように、操作部４の第１支持部４５は回動可能に構成される。具体的に第１支持部４５は、操作部４の左側面及び右側面に形成された左右方向に延びる軸部４５１で構成されている。軸部４５１は、上筐体３の左脚部３２の内側及び上筐体３の前端部に形成された切欠部３６の内側にそれぞれ形成された孔部（図示せず）に挿入されている。これにより、操作部４は上筐体３に揺動可能に支持される。
【００３６】
下筐体２には、第２支持部７１の先端部７１Ａを複数の支持位置に位置決めする位置決め部６３が設けられている。位置決め部６３は、複数の段差部で構成されており、前から順に第１位置決め部６３１、第２位置決め部６３２、第３位置決め部６３３を有している。第１位置決め部６３１は、上記の実施形態で第２支持部７１の先端部７１Ａが当接する位置と同じ位置であり、つまり排出トレイ６の左前方の延長面６２部分である。第２位置決め部６３２は、第１位置決め部６３１の後方を掘り込んで形成された部分である。第３位置決め部６３３は、第２位置決め部６３２の後方を掘り込んで形成された部分である。なお、位置決め部の数は複数であればよい。
【００３７】
そして、第２支持部７１は、操作部４の下面４Ｂと直角に位置する支持位置において、操作部４の位置に応じた位置決め部６３に当接する。すなわち、図６に示すように、操作部４の前面４Ｃが最も高い位置にある場合、支持位置にある第２支持部７１の先端部７１Ａは第１位置決め部６３１に当接する。また、図７に示すように、操作部４が揺動して前面４Ｃが図６の位置よりも低い位置にある場合、支持位置にある第２支持部７１の先端部７１Ａは第２位置決め部６３２に当接する。また、図８に示すように、操作部４が揺動して前面４Ｃが図７の位置よりも低い位置にある場合、支持位置にある第２支持部７１の先端部７１Ａは第３位置決め部６３３に当接する。
【００３８】
このように、位置決め部６３によれば、操作部４が揺動可能な構成において、第２支持部７１は操作部４の位置に応じて操作部４を支持することができる。なお、操作部４は、上記のような回動可能な構成に限定されることはなく、変位可能な構成であれば左右方向にスライド可能な構成や上下方向にスライド可能な構成などであってもよい。
【００３９】
［変形例４］
図９及び図１０は、変形例４の画像形成装置１４の部分断面図である。断面位置は操作部４及び第２支持部７４を通る位置である。変形例４の画像形成装置１４が上記実施形態の画像形成装置１と異なる点は第２支持部７４の移動が自動である点である。変形例４の画像形成装置１４の他の構成は上記実施形態の画像形成装置１と同様であるため、同符号を付してその詳細な説明を省略する。
【００４０】
画像形成装置１４は、操作部４を支持する第２支持部７４と、第２支持部７４を変位させる駆動力を供給するモータ５１と、モータ５１を制御する制御部として機能するＣＰＵ（Ｃｅｎｔｒａｌ  Ｐｒｏｃｅｓｓｉｎｇ  Ｕｎｉｔ）５２とを備えている。
【００４１】
第２支持部７４は、下筐体２における排出トレイ６の左前方の延長面６２に形成された有底円筒状の孔部６２１に設けられている。孔部６２１は、第２支持部７４の全部を収容可能な大きさを有し、雌ねじが形成されている。第２支持部７４は、孔部６２１に挿通可能な円柱状の部材であり、操作部４の下面４Ｂに当接可能な長さに形成されている。第２支持部７４の下半分には、孔部６２１と係合する雄ねじが形成されている。
【００４２】
この構成によれば、第２支持部７４を正逆回転させることによって、第２支持部７４が回転しながら上下動する。これにより、第２支持部７４は、第２支持部７４の先端部７４が操作部４の下面４Ｂの前端部中央に当接する支持位置（図９に示す位置）と、第２支持部７４の先端部７４Ａが延長面６２と面一になる退避位置（図１０に示す位置）との間で回動可能となる。
【００４３】
このように、第２支持部７４は支持位置において操作部４の前端部中央を下方から支持する。その結果、操作部４は第１支持部４１及び第２支持部７４によって支持される。したがって、ユーザに押下されたとしても操作部４は第１支持部４１のみで支持されているときよりも撓みにくくなる。また、第２支持部７４が退避位置にある場合は開口部３５の面積が大きくなりシートＳを取り出しやすい。
【００４４】
次に、第２支持部７４とモータ５１とは直接又は間接的に接続される。すなわち、モータ５１のシャフトが直接第２支持部７４に連結されていてもよいし、モータ５１と第２支持部７４とがギヤやシャフトを有する駆動ギヤ列で接続されていてもよい。モータ５１の正逆回転によって第２支持部７４は回転しながら上下動する。
【００４５】
ＣＰＵ５２は、モータ５１の正逆回転を制御することにより第２支持部７４を自動で上下動させる。第２支持部７４を上下動させて支持位置又は退避位置に移動させるタイミングは、画像形成装置１４の他の動作に連動させることができる。例えば、ＣＰＵ５２は、画像形成の開始指示に基づいて第２支持部７４が支持位置から退避位置に変位するようにモータ５１を制御する。この制御によれば、ユーザが画像形成の指示を入力するために操作部４を操作しているときには、第２支持部７４が支持位置にあることで操作部４が支持されている。その後、ユーザがシートを取り出すときには、第２支持部７４が自動で退避位置に移動しているため、ユーザが第２支持部７４を移動させる手間を省くことができる。
【００４６】
なお、排出トレイ６上のシートの有無を検知するセンサを設け、ＣＰＵ５２は、シートが取り出されると自動で退避位置から支持位置へ変位するように制御してもよい。また、操作部４等に第２支持部７４の移動を操作するための操作具を設け、ユーザが適宜第２支持部７４の移動を指示できるようにしてもよい。また、ＣＰＵ５２は、画像形成装置１の電源がオフになると、第２支持部７４を退避位置に変位させるように制御してもよい。
【００４７】
なお、モータ５１は下筐体２に収容される搬送機構、画像形成部、排出機構などを駆動するモータと共用であってもよい。また、ＣＰＵ５２は画像形成装置１全体を制御するものであってもよい。また、ＣＰＵ５２は、モータ５１と第２支持部７４とを繋ぐ駆動ギヤ列の接離や回転方向を制御することで第２支持部７４の動作を制御してもよい。
【００４８】
［その他］
上記の実施形態では胴内排出型の画像形成装置１を例に説明したが、画像形成装置の形態はこれに限定されることはなく、上記の画像形成装置１において上筐体３を省略し、操作部４を下筐体２の上面に設けた形態の画像形成装置等にも適用することができる。
【００４９】
上記の画像形成装置１では、排出トレイ６のシート排出方向は前後方向に沿っているが、これに限定されることはなく、左右方向に沿っていてもよい。
【００５０】
上記の実施形態及び変形例１から変形例４は、可能な範囲で適宜組み合わせることができる。例えば、変形例４のように第２支持部を自動で変位させる構成を上記の実施形態や他の変形例に組み込んでもよい。
【００５１】
［実施形態の効果］
上記の実施形態の画像形成装置１は、装置本体と、装置本体に支持される第１支持部４１を有し、画像形成装置１の操作を行うための操作部４と、操作部４を支持する支持位置と、操作部４に対して退避する退避位置との間で変位可能な第２支持部７１と、を備える。
【００５２】
この構成によれば、第２支持部７１が支持位置にあるとき、操作部４は第１支持部４１と第２支持部７１とで支持されるため、操作時に撓みにくくなる。したがって、ユーザは、操作部４の操作時に生じる撓みが気になる場合に、第２支持部７１を退避位置から支持位置に移動させて使用することにより、撓みを気にすることなく操作することができる。
【００５３】
上記の実施形態において、第２支持部７１は、第２支持部７１の一端部を通る回動軸線を中心として支持位置と退避位置との間で回動可能に操作部４又は装置本体に支持されている。
【００５４】
この構成によれば、第２支持部７１を水平方向に延びる回動軸線を中心として回動可能とすることにより、簡単な構成で変位させることができる。
【００５５】
上記の実施形態において、装置本体は、排出されるシートＳを支持する排出トレイ６が上面に設けられ、シートＳに画像を形成する画像形成部を収容する下筐体２を備えている。また、装置本体は、下筐体２の上方に設けられ原稿の画像を読み取る画像読取部と、画像読取部を下筐体２に対して支持し排出トレイ６に排出されたシートＳを取り出すための開口部３５を形成する脚部３２、３３とを有する上筐体３を備えている。そして、操作部４は、上筐体３に設けられている。
【００５６】
この構成によれば、胴内排出型の画像形成装置１は上筐体３も撓みやすいため、上筐体３に設けられた操作部４を支持する第２支持部７１がより有効に作用する。
【００５７】
上記の実施形態において、第２支持部７１は、操作部４に設けられ、支持位置にあるときに下筐体２と当接し、退避位置にあるときに下筐体２から離間する。
【００５８】
この構成によれば、胴内排出型の画像形成装置１において、第２支持部７１を操作部４に設けることにより、第２支持部７１を操作部４側に退避させることができ、シートＳを取り出しやすい。
【００５９】
変形例１において、第２支持部７２は、下筐体２に設けられ、支持位置にあるときに操作部４と当接し、退避位置にあるときに操作部４から離間する。
【００６０】
この構成によれば、胴内排出型の画像形成装置１１において、第２支持部７２を下筐体２に設けることにより、第２支持部７２を下筐体２側に退避させることができ、シートＳを取り出しやすい。
【００６１】
上記の実施形態において、第１支持部４１は、操作部４の一端側に設けられ、第２支持部７１は、支持位置において操作部４の他端側を支持している。
【００６２】
この構成によれば、操作部４の両端を支持することにより、操作部４の撓みを効率的に抑制することができる。
【００６３】
上記の実施形態において、第２支持部７１は、支持位置にあるときに排出トレイ６と重ならない位置に配置されている。
【００６４】
この構成によれば、支持位置にある第２支持部７１を排出トレイ６に排出されたシートＳと接触しない位置に配置することにより、第２支持部７１が排出されるシートＳを邪魔することがない。
【００６５】
上記の実施形態において、第２支持部７１は、支持位置にあるときにシートＳの排出方向と直交する方向において排出トレイ６に対してシフトした位置に配置されている。
【００６６】
この構成によれば、開口部３５からシートＳを取り出す際に、第２支持部７１が邪魔にならない。
【００６７】
変形例３において、第１支持部４１は、装置本体に変位可能に支持され、装置本体は、第２支持部７１を複数の支持位置に位置決めする位置決め部６３を備えている。
【００６８】
この構成によれば、操作部４が変位可能な構成において、第２支持部７１は操作部４を変位させた位置で支持することができる。
【００６９】
上記の実施形態において、第２支持部７１は、装置本体と上下方向に重なる位置に配置されている。
【００７０】
この構成によれば、第２支持部７１が装置本体の前後左右に突出しないため、画像形成装置１を小さな面積の設置場所に設置することができる。
【００７１】
変形例４の画像形成装置１４は、第２支持部７４を変位させる駆動力を供給するモータ５１を備えている。
【００７２】
この構成によれば、第２支持部７４の変位を自動化することができる。
【００７３】
変形例４の画像形成装置１４は、画像形成の開始指示に基づいて第２支持部７４が支持位置から退避位置に変位するようにモータ５１を制御するＣＰＵ５２を備えている。
【００７４】
この構成によれば、シートを取り出すときには第２支持部７４が自動で退避位置に移動しているため、ユーザが第２支持部７４を移動させる手間を省くことができる。
【符号の説明】
【００７５】
１、１１、１２、１３、１４  画像形成装置
２          下筐体
３          上筐体
４          操作部
６          排出トレイ
３２        左脚部（脚部）
３３        右脚部（脚部）
３５        開口部
４１        第１支持部
５１        モータ
５２        ＣＰＵ（制御部）
６３        位置決め部
７１、７２、７３、７４  第２支持部
Ｓ          シート
【図１】
2019159026.tif 000003
【図２】
2019159026.tif 000004
【図３】
2019159026.tif 000005
【図４】
2019159026.tif 000006
【図５】
2019159026.tif 000007
【図６】
2019159026.tif 000008
【図７】
2019159026.tif 000009
【図８】
2019159026.tif 000010
【図９】
2019159026.tif 000011
【図１０】
2019159026.tif 000012